(57)【要約】【課題】部材が少なくて済み、かつ開封が容易であり、しかも開封後に開封状況の確認が出来、不正目的による開封を防止できるカートンを提供すること。【解決手段】胴部円筒形１２の周面に切り口３２を列設した易開封用ジッパー３０又はミシン目を設ける。胴部円筒形１２の下端部にカールを介して、底面用面子１８を嵌合して、内容物を充填する。天面用面子２０を挿入して、胴部円筒形１２の上端部をカールさせて、天面用面子２０を嵌合する。【選択図】  図１
2006282175.tif 000002
【特許請求の範囲】
【請求項１】
胴部円筒形の両端部にカールを設けてそれぞれ天面用面子と底面用面子を嵌合し、胴部円筒形の周面に易開封用ジッパー又はミシン目を設けて、易開封とし、開封後に開封状況が確認可能なことを特徴とした易開封カートン。
【請求項２】
胴部円筒形の周面に易開封用ジッパー又はミシン目を設け、胴部円筒形の下端部にカールを介して、底面用面子を嵌合して、内容物を充填し、天面用面子を挿入して、胴部円筒形の上端部をカールさせて、天面用面子を嵌合した、開封が容易でしかも開封後に開封状況の確認が出来、不正目的による開封を防止出来る易開封カートン。
【発明の詳細な説明】
【技術分野】
【０００１】
本発明は、乳製品特にチーズのカートンに関するもので、主として６ピース等に分割した円形等のチーズのカートンに関する。
【背景技術】
【０００２】
従来、チーズのカートン、特に円形平板状のチーズを六分割したチーズ個装の容器は以下に記載する二種類があった。
（１）、身容器に内径大の蓋容器を被せて蓋容器の外面から身容器の底面にかけてテープで封鍼する方法
図７に示したように、６Ｐチーズ（円形平板状チーズを６分割したもの）個装を挿入する身容器５０の外側にそれよりも大きめの蓋容器５２で被せて（図７Ｂ参照）からテープで封鍼して、密封形態のカートンとしたものである。身容器５０と蓋容器５２の胴部５４、５８は、紙を筒状に加工した紙管を任意寸法に輪切り加工し、それぞれの片端をカール加工してカール部５６、６０とした、内側に紙製面子６２、６４を挿入し接着剤で固定させる。そして身容器５０に６Ｐチーズ個装を挿入し、その後蓋容器５２を被せて嵌合してから、封緘用テープ６６（セロファン製、プラスチック製、紙製など）でカートンの底面角部に２ケ所以上を封緘する（図７Ａ参照）。
（２）、同径の蓋容器と身容器を印籠式に被せて側面全周をテープで封緘する方法
図８に示したように、６Ｐチーズ個装を挿入した身容器７０と蓋容器７４を付き合わせ、両者の胴部全周の全面をテープ８０で封鍼する。６Ｐチーズ個装を挿入する身容器７０の内側に内容物の高さと同等以上の高さの中芯リング７８を挿入して一体的に成形し、身容器７０と胴径を同じにした蓋容器７４を上方から被せて、身容器７０と蓋容器７４が付き合わせによる印籠式嵌め合い状態となる。なお身容器７０の面子７２は、カール７３の内側に挿入されている。又蓋容器７４の面子７６はカール７７の内側に挿入されている。
そして、印籠式嵌め合い状態の胴部全周の全面に紙製の封緘用テープ８０を貼付して、封緘する。紙製の封鍼用テープ幅の中心部分には、開封用の糸８２を装着して印寵式嵌め合い状態の胴部全周と全面に貼付し、使用時は開封用の糸８２を引くと紙製の封絨用テープ８０が破れて開封状態となる。
なお、カールは、例えば特許文献１の紙容器製造装置の図１３の装置を使用して、形状加工する。
【特許文献１】特開２００４−２４９５５３
【発明の開示】
【発明が解決しようとする課題】
【０００３】
背景技術の前記（１）は封緘用テープ６６は、簡単に剥がせるので、陳列中の商品に対して、不正に開封できる。そして開封した後に前の状態に戻すことが可能なので、不正な開封をしたことが分からない。
又背景技術の前記（２）は、封緘用テープ８０の不正開封という点では（１）と同様の問題が存在し、又、（１）に比較して封緘方法が複雑であり、包装コストが高いという課題があった。
【課題を解決するための手段】
【０００４】
本発明は、上記に鑑みてなされたもので、請求項１の発明は、胴部円筒形１２の両端部にカールを設けてそれぞれ天面用面子２０と底面用面子１８を嵌合し、胴部円筒形１２の周面に易開封用ジッパー３０又はミシン目を設けて、易開封とし、開封後に開封状況が確認可能なことを特徴とした易開封カートンである。
また、請求項２の発明は、請求項１の製造物に関する製法を付加したものであり、胴部円筒形１２の周面に易開封用ジッパー３０又はミシン目を設け、胴部円筒形１２の下端部にカールを介して、底面用面子１８を嵌合して、内容物を充填し、天面用面子２０を挿入して、胴部円筒形１２の上端部をカールさせて、天面用面子２０を嵌合した開封が容易でしかも開封後に開封状況の確認が出来、不正目的による開封を防止出来る易開封カートンである。
【発明の効果】
【０００５】
請求項１記載の発明によれば、胴部円筒形１２の周面に切り口３２を列設した易開封用ジッパー３０を設けたので、先行公知例に比較して、部材が少なくて済み、かつ開封が容易であり、しかも開封後に開封状況が確認が出来るので、不正目的による開封を防止できる。
【０００６】
請求項２記載の発明によれば、予め、カールにより底面用面子１８を嵌合した胴部円筒形１２に内容物を入れ、天面用面子２０を挿入して、胴部円筒形１２の上端部をカールさせるだけで、内容物の包装が出来、簡易で完全な包装が出来、しかも不正開封をした場合にも容易に開封状態が確認できる。
【発明を実施するための最良の形態】
【０００７】
以下、本発明の実施の形態を図面に基づいて説明する。
先ず図１は、チーズなどの内容物を包装するためのカートン１０であり、輪状の胴部円筒形１２の下方をカール１４させ、底面用面子１８を挿入して接着剤で固定する。その中に６Ｐチーズを充填した後、天面用面子２０を挿入してから、胴部円筒形１２の上方をカール１６すると完全に密封された容器形態となる。
なお、胴部円筒形１２の中央部分の全周に易開封用ジッパー３０を加工して、胴部円筒形１２の全周の９０％から１００％まで易開封用ジッパーを除去して開けると中身が取り出すことが可能である（図３、４参照）。
【０００８】
図２は、図１とは異なる実施例であり、胴部円筒形１２の更に内側に、易開封用ジッパーを加工していない輪状の内部円筒形２２を挿入し、この内部円筒形２２の高さを下方カール１４部分から６Ｐチーズの高さまでとする。このように構成すれば、易開封用ジッパー３０を開けた場合にも、挿入された内部円筒形２２が６Ｐチーズの側面を保護する事が出来る（図２Ａ）。
また開封した胴部円筒形１２の天面用面子２０を含む上部胴部円筒形１２Ｕを、内部円筒形２２の外側に被せた場合でも、上部胴部円筒形１２Ｕを内部円筒形２２から容易に脱着出来、再封が容易である（図２Ｂ）。
図１、図２のように、胴部円筒形１２の下方をカール１４して底面用面子１８が挿入された形態に６Ｐチーズを充填し、その上に天面用面子２０を挿入してから胴部円筒形１２の上方をカール１６するので簡単な密封形態となり、胴部円筒形１２に易開封用ジッパー３０を付けたので、開封した場合にも、開封されたことが容易に認識できる。
【０００９】
図３、図４は胴部円筒形１２についての実施例であり、図３では、筒体を一定間隔に輪切りの円形にしたものである。予め輪状に加工された中空で横長の筒体４０を輪切りに加工して（図３Ａ）、胴部円筒形１２を製作する。胴部円筒形１２の周面には、易開封用ジッパー３０が付加されており、横方向に切り口３２が開封始端方向から列設されている（図３Ｂ）。開封始端は、切り口３２の右半分３４が開口している。この切り口に指を入れて、切り口３２を右から左に引張り開封する。なお、開封始端は、切り口３２に、舌片を添着したものでも良い。なお、易開封用ジッパー３０の代わりに、ミシン目を使用しても良い。
【００１０】
図４では、胴部円筒形による６Ｐチーズ用カートンは、枚葉紙の両端を接着して円筒形に加工したものであり、横方向に切り口３２が開封始端方向から列設されている点は、図３の輪切り筒体４０と同じある（図４Ａ）。開封始端は、切り口３２の内部を突出した開封タブ３６とした物であり、この部分を指でつまんで開封する（図４Ｃ）。図４Ｂは別の実施例であり、開封タブを折り返した折り返しタブ３８としたものである。折り返しタブ３８は、開封始端の端部を若干切り欠いた切り欠き凹部３９を設けてある。これにより開封がより容易になる。
【００１１】
図５は、図２の変形実施例であり、胴部円筒形１２（上部胴部円筒形１２Ｕと下部胴部円筒形１２Ｄ）には、易開封用ミシン目３３を設ける。胴部円筒形１２の更に内側に、易開封用ミシン目を加工していない輪状の内部円筒形２２を挿入し、この内部円筒形２２の高さを下方カール１４部分から６Ｐチーズの高さまでとする。そして、胴部円筒形１２の高さは、充填する内容物Ａの高さより高くし、天面用面子２０と内容物Ａとの間には空間２１を設ける。空間２１の高さは、易開封用ミシン目の高さと同様とする。
このように構成すれば、易開封用ミシン目３３を開けた場合にも、挿入された内部円筒形２２が６Ｐチーズの側面を保護する事が出来る（図６）。
また開封した胴部円筒形１２の天面用面子２０を含む上部胴部円筒形１２Ｕを、内部円筒形２２の外側に被せた場合でも、上部胴部円筒形１２Ｕを内部円筒形２２から容易に脱着出来、再封が容易である（図６）。又、除去した易開封用ミシン目３３の分、上部胴部円筒形１２Ｕが下がり、内容物を空間２１を設けることなく密閉できる。
なお、３３ａは、易開封用ミシン目３３を上部胴部円筒形１２Ｕと下部胴部円筒形１２Ｄの間に設けた状態であり、３３ｂは、３３ａを胴部円筒形１２から除去した状態を示す。
【００１２】
本発明はその目的に反しない限り、以上の各実施例を結合して実施しても良い。
【図面の簡単な説明】
【００１３】
【図１】本発明の胴部円筒形１２の上方及び下方をカールさせて、天面用面子及び底面用面子を嵌合した容器の断面図である。
【図２】図１の胴部円筒形１２の内部に内部円筒形２２を挿入した別の実施例の断面図である。
【図３】筒体を一定間隔に輪切りの円形した胴部円筒形１２の一実施例であり、Ａは、その状態の説明図、Ｂは胴部円筒形１２の斜視図である。
【図４】枚葉紙の両端を接着して円筒形に加工した胴部円筒形１２の他の実施例であり、Ａはその斜視図、Ｂは折り返しタブ３８の実施例であり、Ｃは開封タブ３６の実施例を示す。
【図５】図２の胴部円筒形１２の内部に内部円筒形２２を挿入した別の実施例の断面図であり、天面用面子２０と内容物Ａとの間に空間２１を設けたものを示す。
【図６】図５の易開封用ミシン目３３を除去した状態を示す断面図である。
【図７】蓋容器の外面から身容器の底面にかけてテープで封鍼した従来例であり、Ａはその断面図、Ｂは説明図である。
【図８】同径の蓋容器と身容器を印籠式に被せて側面全周をテープで封絨した従来例であり、Ａはその断面図、Ｂは説明図である。
【符号の説明】
【００１４】
１０  カートン
１２  胴部円筒形
１４、１６  カール
１８  底面用面子
２０  天面用面子
２２  内部円筒形
３０  易開封用ジッパー
３２  切り口
【図１】
2006282175.tif 000003
【図２】
2006282175.tif 000004
【図３】
2006282175.tif 000005
【図４】
2006282175.tif 000006
【図５】
2006282175.tif 000007
【図６】
2006282175.tif 000008
【図７】
2006282175.tif 000009
【図８】
2006282175.tif 000010